(57)【要約】      （修正有）【課題】疑似餌を自宅で保管したり、釣り現場に持っていく際に、可能な限りシームレスで手間のかからない疑似餌収納ケースを提供する。【解決手段】疑似餌２００を収納できる奥行きを有し且つケーシングとしても機能する第１の収納凹部１０２と第２の収納凹部１０４とが、それぞれの凹面１０２ａ、１０４ａを対面させるように重ね合わせて配置されると共に、第１の収納凹部１０２と第２の収納凹部１０４の一辺がヒンジ構造１０８によって連結されることにより両者が左右方向に本を見開くように開閉可能とされ、第１の収納凹部１０２と第２の収納凹部１０４のそれぞれの凹面１０２ａ、１０４ａには、疑似餌２００の針を引っ掛けることが可能な引掛部１２０が設けられ、第１の収納凹部１０２と第２の収納凹部１０４とを仕切る、仕切りシート１１０が備わる。【選択図】図３
2020061966.tif 000002
【特許請求の範囲】
【請求項１】
疑似餌を収納できる奥行きを有し且つケーシングとしても機能する第１の収納凹部と、同様に疑似餌を収納できる奥行きを有し且つケーシングとしても機能する第２の収納凹部とが、それぞれの凹面を対面させるように重ね合わせて配置されると共に、
前記第１の収納凹部と第２の収納凹部の一辺がヒンジ構造によって連結されることにより両者が左右方向に本を見開くように開閉可能とされ、
前記第１の収納凹部と第２の収納凹部のそれぞれの前記凹面には、疑似餌の針を引っ掛けることが可能な引掛部が設けられ、
前記第１の収納凹部と第２の収納凹部とを仕切る、仕切シート乃至は仕切板が備わる、
ことを特徴とする疑似餌収納ケース。
【請求項２】
請求項１において、
前記引掛部は、前記凹面に対して着脱自在とされると共に、所望の位置で着脱可能に構成されている
ことを特徴とする疑似餌収納ケース。
【請求項３】
請求項１または２において、
前記仕切シート乃至仕切板は、前記第１の収納凹部と第２の収納凹部の上側縁部から垂れ下がるように配置されると共に、
前記第１の収納凹部と第２の収納凹部とを開いた状態で、前記第１の収納凹部又は第２の収納凹部の上方から背面側に向かって捲り上げた状態で保持できる構成とされている
ことを特徴とする疑似餌収納ケース。
【発明の詳細な説明】
【技術分野】
【０００１】
本発明は、ルアーやワーム等に代表される疑似餌を収納する収納ケースに関する。
【背景技術】
【０００２】
従来から、ルアーやワーム等の疑似餌を収納するための収納ケースには数多くの種類のものが存在している。
【０００３】
例えば、特許文献１において開示されている疑似餌収納ケースは、所謂タックルボックスであり、蓋を開けると、複数の仕切り板が放射状に広がり、それぞれの仕切り板の縁に疑似餌を引っ掛ける様に収納するタイプのケースである。
【先行技術文献】
【特許文献】
【０００４】
【特許文献１】特開平１１−１６９０４３号公報
【発明の概要】
【発明が解決しようとする課題】
【０００５】
しかしながら、特許文献１のような収納ケースの場合、所有する疑似餌の数が少ない場合はまだしも、その数が多くなると釣り場へ持ち出す際に不便さが顕在化してしまう。
【０００６】
即ち、所有する疑似餌の数が多くなると、その全てを釣り場に持っていくことが困難となり、その日の天候や、季節、場所、目的とする魚の種類等に応じて、最適のものを選択して持ち出す必要がある。そうすると、自宅等に保管している多数の疑似餌の中から所望のものを選択してケースに入れ替えなければならない。
【０００７】
入れ換えを極力減らそうと思うと、ケースを多数用意しておけば、ある程度対応できるものの、特許文献１に記載の収納ケースでは、ケース内部にどういった疑似餌が収納されているのかを、ケースを開いても仕切り板を一枚一枚捲る必要があり、一見して把握するのが困難である。
【０００８】
そこで本発明は、こういった問題点を解決するべくなされたものであって、疑似餌を自宅で保管したり、釣り現場に持っていく際に、可能な限りシームレスで手間のかからない疑似餌収納ケースを提供する事をその課題としている。
【課題を解決するための手段】
【０００９】
上記課題を解決するべく、本願発明は、疑似餌を収納できる奥行きを有し且つケーシングとしても機能する第１の収納凹部と、同様に疑似餌を収納できる奥行きを有し且つケーシングとしても機能する第２の収納凹部とが、それぞれの凹面を対面させるように重ね合わせて配置されると共に、前記第１の収納凹部と第２の収納凹部の一辺がヒンジ構造によって連結されることにより両者が左右方向に本を見開くように開閉可能とされ、前記第１の収納凹部と第２の収納凹部のそれぞれの前記凹面には、疑似餌の針を引っ掛けることが可能な引掛部が設けられ、前記第１の収納凹部と第２の収納凹部とを仕切る、仕切シート乃至は仕切板が備わる、ことを特徴とする。
【００１０】
このように構成したことによって、第１の収納凹部と第２の収納凹部を開くことによって、開くだけで収納されている疑似餌を一見把握することが可能となる。さらに、開いた状態で床面等に自立させることができるので、所望の疑似餌を取り出したり、取り付ける操作も行い易い。更には、開いた状態で自宅等にそのままディスプレイしておくこともできるので、釣り場から持ち帰った疑似餌を入れ替えなどする必要もない。
【００１１】
また、前記引掛部を、前記凹面に対して着脱自在とすると共に、所望の位置で着脱可能に構成してもよい。
【００１２】
このように構成すれば、例えば、疑似餌の全長等に応じて、最適の位置に収納することが可能となる。
【００１３】
また、前記仕切シート乃至仕切板は、前記第１の収納凹部と第２の収納凹部の上側縁部から垂れ下がるように配置されると共に、前記第１の収納凹部と第２の収納凹部とを開いた状態で、前記第１の収納凹部又は第２の収納凹部の上方から背面側に向かって捲り上げた状態で保持できる構成とされていることを特徴とする。
【００１４】
このように構成すれば、見開いた左右に収納した疑似餌を取り出したり取り付けたりする際に、仕切シート乃至仕切板が全く邪魔になることがない。
【発明の効果】
【００１５】
本発明を適用することで、疑似餌を自宅で保管したり、釣り現場に持っていく際に、可能な限りシームレスで手間のかからない疑似餌収納ケースを提供することができる。
【図面の簡単な説明】
【００１６】
【図１】本発明の実施形態の一例である疑似餌収納ケースの概略図であって、ケースを開いた状態の斜視図である。
【図２】仕切りシートを捲り上げた状態を示した斜視図である。
【図３】疑似餌を引っ掛けた状態を示した斜視図である。
【図４】引掛部に疑似餌を引っ掛けた状態を示した拡大図である。
【図５】凹面に対して引掛部を着脱可能に構成した場合の使用例を示した斜視図である。
【図６】疑似餌収納ケースの使い方の一例を示した図である。
【発明を実施するための形態】
【００１７】
以下、添付図面を参照しつつ、本発明の実施形態の一例である疑似餌収納ケース１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１８】
〈疑似餌収納ケースの構成〉
図１に示しているように、疑似餌収納ケース１００は、疑似餌２００を収納できる奥行きｄを有し、且つ、ケーシングとしても機能する第１の収納凹部１０２と、同様に疑似餌２００を収納できる奥行きを有し且つケーシングとしても機能する第２の収納凹部１０４とが、それぞれの凹面１０２ａ、１０４ａを対面させるように重ね合わせて配置される。
【００１９】
また、第１の収納凹部１０２と第２の収納凹部１０４の一辺がヒンジ構造１０８によって連結されることにより両者が左右方向に本を見開くように開閉可能とされている。本実施形態においては、第１の収納凹部１０２と第２の収納凹部１０４とは樹脂により一体成形されると共に、ヒンジ構造１０８も樹脂を他の部分よりも薄くした状態で一体成形されて構成される。もちろん、別部品として蝶番等を利用したり、両者が回動可能な状態で嵌合し合うことによって、ヒンジ構造を構成してもよい。
【００２０】
第１の収納凹部１０２の凹面１０２ａには、疑似餌２００の針２０２（図４参照）を引っ掛けることが可能な引掛部１２０が上下二段に設けられている。同様に、第２の収納凹部１０４の凹面１０４ａには、疑似餌２００の針２０２を引っ掛けることが可能な引掛部１２０が上下二段に設けられている。また、引掛部１２０の上面には、疑似餌２００の針２０２を通すための引掛穴１２２が等間隔に複数設けられている。
【００２１】
なお、引掛部１２０が、それぞれ上下に二段に構成されているのはあくまで一例であって、収納する疑似餌２００の長さ・大きさ等に応じて適宜変更可能である。
【００２２】
また、第１の収納凹部１０２と第２の収納凹部１０４とを仕切る、仕切シート１１０が、第２の収納凹部１０４の上側縁部１０４ｃから垂れ下がるように設けられている。この仕切りシート１１０は、本実施形態においては、透明且つ柔軟性を有しつつも、疑似餌２００の針２０２が容易に刺さることがない硬度を備えた樹脂で構成されている。
【００２３】
なお、第２の収納凹部１０４側には、ロック部１０６が取り付けられており、第１の収納凹部１０２と第２の収納凹部１０４を閉じた状態で、第１の収納凹部１０２側のロック受け部１０２ｂに係止することにより、第１の収納凹部１０２と第２の収納凹部１０４を閉じた状態のままで保持することができる。
【００２４】
また、仕切シート１２０は、第２の収納凹部１０４の上側縁部１０４ｃから垂れ下がるように配置されると共に、第１の収納凹部１０２と第２の収納凹部１０４とを開いた状態で、図２に示しているように、第２の収納凹部１０４の上方から背面側に向かって捲り上げた状態で保持できる構成とされている。このように構成することにより、見開いた左右に収納した疑似餌を取り出したり取り付けたりする際に、仕切シート１１０が全く邪魔になることがない。
【００２５】
〈疑似餌収納ケースの作用・機能〉
続いて、疑似餌収納ケース１００の使い方について説明する。
【００２６】
ロック部１０６のロックを解いて、第１の収納凹部１０２と第２の収納凹部１０４とを本を見開くように広げた後（図１）、必要に応じて、仕切りシート１１０を捲り上げておく（図２）。そして、引掛部１２０の引掛穴１２２を利用して、疑似餌２００を引っ掛ける。必要なだけの疑似餌２００の収納が完了すれば、両者を閉じ、ロック部１０６によるロックすればよい。
【００２７】
本願発明では、疑似餌２００を収納できる奥行きｄを有し、且つ、ケーシングとしても機能する第１の収納凹部１０２と、同様に疑似餌２００を収納できる奥行きｄを有し、且つ、ケーシングとしても機能する第２の収納凹部１０４とが、それぞれの凹面１０２ａ、１０４ａを対面させるように重ね合わせて配置されると共に、第１の収納凹部１０２と第２の収納凹部１０４の一辺がヒンジ構造１０８によって連結されることにより両者が左右方向に本を見開くように開閉可能とされ、第１の収納凹部１０２と第２の収納凹部１０４のそれぞれの凹面１０２ａ、１０４ａには、疑似餌２００を上下方向に引っ掛けることが可能な引掛部１２０が設けられ、第１の収納凹部１０２と第２の収納凹部１０４とを仕切る、仕切シート１１０が備わる構成を採用していた。
【００２８】
このように構成したことによって、第１の収納凹部１０２と第２の収納凹部１０４を開くことによって、開くだけで収納されている疑似餌２００を一見して把握することが可能となっている。更に、開いた状態で床面等に当該収納ケース１００自体を自立させることができるので、所望の疑似餌２００を取り出したり、取り付ける操作も行い易い。加えて、開いた状態で自宅等にそのままディスプレイしておくこともできるので（図６参照）、釣り場から持ち帰った疑似餌を入れ替えなどする必要もない。
【００２９】
また、仕切りシート１１０を備えているので、第１の収納凹部１０２と第２の収納凹部１０４のそれぞれの側に疑似餌２００を引っ掛け、両者を閉じたとしても、疑似餌同士が引っ掛かったり絡まったりすることもない。
【００３０】
また、疑似餌収納ケース１００のサイズを、例えば、Ａ４ファイルやＢ５ファイルといった広く一般に普及しているサイズに調整して作成すれば、既存のファイルボックス３００（図６参照）をそのまま利用して保管。・運搬も可能となる。
【００３１】
〈その他の構成例〉
上記では、引掛部１２０は予め凹面１０２ａ、１０４ａに固定された例として説明しているが、例えば図５に示しているように、凹面１０２ａ、１０４ａに対して着脱自在とされると共に、所望の位置で着脱可能に構成してもよい。
【００３２】
このように構成すれば、疑似餌２００の全長等に応じて、最適の位置に収納することが可能となる。また、全長の短い疑似餌と長い疑似餌等、サイズが大きく異なる疑似餌を纏めて収納しても、絡まったり、無理な接触が発生する等の事態を防止することができる。
【符号の説明】
【００３３】
１００・・・疑似餌収納ケース
１０２・・・第１の収納凹部
１０２ａ・・・凹面
１０２ｂ・・・ロック受け部
１０４・・・第２の収納凹部
１０４ａ・・・凹面
１０４ｃ・・・上側縁部
１０６・・・ロック部
１０８・・・ヒンジ構造
１１０・・・仕切シート（仕切板）
１２０・・・引掛部
１２２・・・引掛穴
２００・・・疑似餌
３００・・・ファイルボックス
ｄ・・・奥行き
【図１】
2020061966.tif 000003
【図２】
2020061966.tif 000004
【図３】
2020061966.tif 000005
【図４】
2020061966.tif 000006
【図５】
2020061966.tif 000007
【図６】
2020061966.tif 000008
【手続補正書】
【提出日】平成31年1月29日(2019.1.29)
【手続補正１】
【補正対象書類名】特許請求の範囲
【補正対象項目名】請求項１
【補正方法】変更
【補正の内容】
【請求項１】
疑似餌を収納できる奥行きを有し且つケーシングとしても機能する第１の収納凹部と、同様に疑似餌を収納できる奥行きを有し且つケーシングとしても機能する第２の収納凹部とが、それぞれの凹面を対面させるように重ね合わせて配置されると共に、
前記第１の収納凹部と第２の収納凹部の一辺がヒンジ構造によって連結されることにより両者が左右方向に本を見開くように開閉可能とされ、
前記第１の収納凹部と第２の収納凹部のそれぞれの前記凹面には、疑似餌の針を引っ掛けることが可能な引掛穴が前記左右方向に並んだ引掛部が設けられ、
前記第１の収納凹部と第２の収納凹部とを仕切る、仕切シート乃至は仕切板が備わる、
ことを特徴とする疑似餌収納ケース。